(57)【要約】携帯通信装置（ＰＣＤｓ）、特に携帯電話と共に用いるイヤホーンで、装置の電磁（ＥＭ）放射線は使用者の頭から遠ざけられ、他方、音響波は収集され音響チューブを通じて使用者の耳に伝えられる。イヤホーンは、音響的に互いに遮蔽されたマイクロフォンとスピーカーを内包したカプラを用いてもよい。カプラは使用者の耳とＰＣＤの両者から隔てられて置かれる。カプラは音響波を音響チューブに出力し耳に伝送する。【選択図】図２Ａ
2004506387.tif 000002
【特許請求の範囲】
【請求項１】
音声信号に対応する電気信号エネルギーを受信する機器と、電気信号エネルギーに応じて使用者に音声信号に対応する可聴音響信号を提供するスピーカーと、電気信号エネルギーにアクセスする音声ソケットとを有する携帯通信装置と共に使用するイヤホーンであって、
携帯通信装置と接続され、これによって受信された音声信号に対応するエネルギーをこれから受け取るように配置されたコレクター部、
使用者の耳と共同して締め付ける形状で、音声信号に対応する音響エネルギーを出力する音響エネルギー出力部、及び
前記コレクター部から出力されたエネルギーを受け取り、かつ、使用者の耳に出力するための音響エネルギーを前記出力部に出力するための音響チューブ、
を含むイヤホーン。
【請求項２】
前記コレクター部は携帯通信装置のスピーカーに固定するように配置された音響コレクターを含み、前記音響コレクターはスピーカーから可聴音響信号を収集するように作用し、前記音響エネルギー出力部を介して使用者の耳に出力するための前記音響チューブに沿って可聴音響信号を集中させる請求項１に記載のイヤホーン。
【請求項３】
前記コレクター部は、携帯通信装置の音声ソケットとカプリングするように配置された音声プラグを含み、
前記イヤホーンは音響エネルギー変換器、及び
前記音声プラグから前記音響エネルギー変換器に電気信号エネルギーを伝える電気信号伝導体も含み、
ここで、前記音響エネルギー変換器は、電気信号エネルギーを可聴音響信号に変換し、前記音響エネルギー出力部を介して使用者の耳に出力する前記音響チューブに沿って、可聴音響信号を集中させるように作用する請求項１に記載のイヤホーン。
【請求項４】
前記音声プラグ、前記信号伝導体及び前記音響エネルギー変換器は、単一のプラグ要素として形成され、携帯通信装置の音声ソケットとカプリングする形状である請求項３に記載のイヤホーン。
【請求項５】
装置のスピーカーは外部スピーカーであり、前記イヤホーンの前記コレクター部は外部スピーカーに取り付けられる請求項１に記載のイヤホーン。
【請求項６】
イヤホーンの前記コレクター部は、
（ｉ）機械的要素；
（ｉｉ）磁気的要素；
（ｉｉｉ）接着材；及び
（ｉｖ）真空
の取り付け手段の内の少なくとも１つによってスピーカーに取り付けられる請求項５に記載のイヤホーン。
【請求項７】
装置のスピーカーは内部スピーカーであり、前記イヤホーンの前記コレクター部は内部スピーカーに取り付けられる請求項１に記載のイヤホーン。
【請求項８】
イヤホーンの前記コレクター部は、
（ｉ）機械的要素；
（ｉｉ）磁気的要素；
（ｉｉｉ）接着材；及び
（ｉｖ）真空
の取り付け手段の内の少なくとも１つによってスピーカーに取り付けられる請求項７に記載のイヤホーン：
【請求項９】
前記音響エネルギー出力部は、使用者の耳道に挿入するか又は外耳の近傍に取り付ける形状である請求項１に記載のイヤホーン。
【請求項１０】
前記音響チューブは、使用者の両耳に音波を同時に出力する２個の音響エネルギー出力部を有する二股の音響チューブである請求項１に記載のイヤホーン。
【請求項１１】
前記イヤホーンの前記コレクター部に取り付ける付加的スピーカーを更に含む請求項１に記載のイヤホーン。
【請求項１２】
マイクロフォンを更に含み、前記マイクロフォンは使用者からの音響信号を受け取り、それらを電気信号に変換し、かつ前記電気信号を前記音声プラグに接続された電気信号伝導体を介して装置に出力する請求項３に記載のイヤホーン。
【請求項１３】
ケーシングを更に含み、前記マイクロフォン及び前記音響エネルギー変換器は、音響的に遮蔽された近傍に位置する請求項１２に記載のイヤホーン。
【請求項１４】
前記ケーシング内に配置された音響遮蔽手段を更に含み、前記音響エネルギー変換器及び前記マイクロフォンが前記遮蔽手段のうちの少なくとも１つの遮蔽層で分離され、前記遮蔽層は音響バリア要素及び音響的に遮蔽するペーストから選ばれる請求項１３に記載のイヤホーン。
【請求項１５】
前記マイクロフォン及び前記音響エネルギー変換器のための別体のケーシングを更に含む請求項１２に記載のイヤホーン。
【請求項１６】
前記コレクター部は、携帯通信装置の内部に位置し、その中にある内部スピーカーと連絡している請求項１に記載のイヤホーン。
【請求項１７】
携帯通信装置と共に用いるイヤホーン用のカプラであって、前記カプラは、少なくとも１個のケーシングの内部に近接して位置し互いに音響的に遮蔽されているマイクロフォンと音響エネルギー変換器とを含み、前記音響エネルギー変換器は、装置の電気出力をイヤホーンのコレクター部により収集される音響波に変換し、前記イヤホーンは、使用者の耳に音響波を提供するカプラ。
【請求項１８】
音響遮蔽が
（ｉ）少なくとも１個の音響バリア要素； 及び
（ｉｉ）少なくとも１層の音響遮蔽ペースト
の少なくとも１つを含む請求項１７に記載のイヤホーン用のカプラ。
【請求項１９】
前記少なくとも１個のケーシングは２個のケーシングであり、１個のケーシングは前記マイクロフォンを含み、１個のケーシングは前記音響エネルギー変換器を含み、前記ケーシングは互いに音響遮蔽されている請求項１７に記載のイヤホーン用のカプラ。
【請求項２０】
音響エネルギー変換器が中空の要素に対して近接して位置し、その要素は前記音響エネルギー変換器から発せられた音声波が収集され音響チューブに伝えられる音響収集空間を区切る請求項１７に記載のイヤホーン用のカプラ。
【請求項２１】
前記中空の要素は一体的に形成されたカプラケーシングの一部である請求項２０に記載のカプラ。
【請求項２２】
使用者に対する電磁放射線曝露を削減して、携帯通信装置からの伝送を使用者に出力する方法であって、
携帯通信装置によって電磁信号を音響波に変換するステップ、
音響波を収集するステップ、及び
音響波を搬送することができる中空のチューブを通じて使用者の耳まで収集した音響波を搬送するステップ、
を含む方法。
【請求項２３】
変換ステップは、携帯通信装置の内部で行われる請求項２２に記載の方法。
【請求項２４】
変換ステップは、携帯通信装置の外部で行われる請求項２２に記載の方法。
【請求項２５】
受け取った電磁信号を、電線上を携帯通信装置からカプラへ伝送するステップを更に含み、
変換工程は、前記カプラ内で行われる、
請求項２２に記載の方法。
【発明の詳細な説明】
【０００１】
【発明の属する技術分野】
本発明は、携帯通信装置、特に携帯電話と共に用いるイヤホーンに関する。
【０００２】
【従来の技術及び発明が解決しようとする課題】
携帯電話は、生物の細胞組織、特に脳に潜在的に有害であると考えられる電磁（ＥＭ）放射線を放出することが知られている。この危険性を減らすために、さまざまな方法が提案されている。
【０００３】
ある方法では、使用者の耳と頭の近くに位置する電話機に取り付ける放射線偏向シールド（例えば、ＡｅｇｉｓＧｕａｒｄＴＭ）を用いている。別の方法では、携帯電話の出力パワーを探知し、最大許容パワー限度に達すると警告信号を発するものもある。更に、別の提案された方法では、Ｔｅｃｎｏ ＡＯ Ｏｓｃｉｌｌａｔｏｒ社によって利用されるような、電磁気的にチャージする解決策が用いられている。この解決法は、弱い、振動アルファ波を極めて低い周波数域（７．５から１３．５Ｈｚ）で発し、その相殺電磁界が、携帯電話によって発せられる潜在的に有害な電磁波を無効にする。別の方法は、Ｒａｙａｗａｙチップに用いられるもので、携帯電話に取り付け可能な水晶マトリックスで構成され、電話機によって発せられる搬送波の放射線を変化させる。更に別の提案された解決策は、電話機に、電話機によって発せられる電磁放射線を吸収するＺｅｒｏｐａ（登録商標）セラミック材のような特別な物質を取り付ける必要があるものである。
【０００４】
恐らく、最も一般的で最も簡単な方法は、普通の電気イヤホーンを使って、伝送を受信又は送信するときに、携帯電話と脳の距離を大きくすることであろう。電話機それ自体は、手に持ったり、ベルトで使用者に取り付けたりできる。しかしながら、通常のイヤホーンは、アンテナの役割を果たす場合があり、実際に、耳の領域に電磁放射線を集中させ、脳やその他の細胞組織に危険な結果を及ぼす可能性が明らかにされている。イヤホーンの使用を安全ならしめるには、電磁放射線を集中させる能力によってもたらされる有害な影響を取り除くことが必要なことは明らかである。
【０００５】
【定義】
次の用語は、ここでは、別途記載がある場合を除き、下記の意味で用いられる。
【０００６】
イヤフォン−電気エネルギーを伝送、又は、音波に変換し伝送する機器で、耳に掛けるか挿入する。
【０００７】
イヤーピース−耳の近くに保持される、帯電話を含む携帯通信装置の部品。
【０００８】
耳装着部−本発明の部品で、使用者の耳道に差し込まれるか、又は、外耳の付近に装着される。
【０００９】
携帯通信装置−メッセージを受信したり交信したりするために個人によって持ち運ばれ、装着され、又は収納されるあらゆる装置。これらには、携帯電話、自動車電話、ポケットベル、携帯用小型呼び出し機及び手のひらサイズのラジオなどが含まれるが、これに限定されるものではない。
【００１０】
【発明の概要】
本発明は、携帯通信装置（ＰＣＤｓ）、特に携帯電話によって送受信される伝送を安全に搬送するための装置を提供する。本発明者等は、音響波を、ある距離を越えて使用者の耳に直接伝送して、ＰＣＤ内の要素によって発生される電磁（ＥＭ）放射線の使用を排除する装置が、ＰＣＤ、特に携帯電話をより安全にする事に気がついた。
【００１１】
本発明の目的は、繊細な生体の細胞組織、特に脳細胞組織に対するＥＭ放射線の有害な影響を排除し、携帯電話の伝送を電話機から使用者へ安全に搬送するための装置を提供することである。
【００１２】
更に、本発明の目的は、携帯電話を使用者から遠ざける利点を持つ、携帯電話と共に用いる安全なイヤホーンを提供することである。
【００１３】
更に、本発明の目的は、使用者に到達する、携帯電話が発生する電磁放射線を削減するための、安価で簡易な解決策を提供することである。
【００１４】
更に、本発明の目的は、従来のハンドフリー自動車スピーカーやその他の装置に代替可能なイヤホーンを提供することである。
【００１５】
最後に、本発明の他の目的は、電気信号を音響波とカプリングするための小型で簡易な装置を提供することである。
【００１６】
【課題を解決するための手段】
このように、本発明によれば、音声信号に応じて電気信号エネルギーを受信する機器を有する携帯通信装置とともに使用するイヤホーンが提供される。また本装置は、電気信号エネルギーに応じて使用者に音声信号に対応する可聴音響信号を提供するスピーカーを内包している。また本装置は、電気信号エネルギーにアクセスする音声ソケットを含む。本イヤホーンは、携帯通信装置と接続され、これによって受信した音声信号に対応するエネルギーをこれから受け取るようにされたコレクター部を含む。また、本イヤホーンは、使用者の耳に締め付ける形状で、音声信号に応じて音響エネルギーを出力する音響エネルギー出力部を含む。更に本イヤホーンは、コレクター部から出力されたエネルギーを受け取り、使用者の耳に出力するための音響エネルギーを出力部に出力するための音響チューブを含む。
【００１７】
本発明の他の実施例において、コレクター部は、携帯通信装置のスピーカーに固定するようにされた音響コレクターを含む。音響コレクターは、スピーカーから可聴音響信号を収集し、音響エネルギー出力部を介して、使用者の耳に出力するための音響チューブに沿って可聴音響信号を集中させるように作用する。
【００１８】
本発明の更に他の実施例において、コレクター部は、携帯通信装置の音声ソケットとカプリングするようにされた音声プラグを含む。イヤホーンは、音響エネルギー変換器と、前記音声プラグから前記音響エネルギー変換器に電気信号エネルギーを伝える電気信号伝導体とを含む。音響エネルギー変換器は、電気信号エネルギーを可聴音響信号に変換し、音響エネルギー出力部を介して、使用者の耳に出力する音響チューブに沿って可聴音響信号を集中させる。
【００１９】
本発明の更に他の実施例において、音声プラグ、信号伝導体及び音響エネルギー変換器は、単一のプラグ要素として形成され、携帯通信装置の音声ソケットとカプリングできる形状にされている。
【００２０】
更に、本発明の実施例において、装置のスピーカーは、外部スピーカーであり、イヤホーンのコレクター部は、外部スピーカーに取り付けられる。イヤホーンのコレクター部は、以下の取り付け手段、機械的要素、磁気的要素、接着材及び真空の内の少なくとも１つによって外部スピーカーに取り付けることができる。
【００２１】
本発明の別の実施例において、装置のスピーカーは内部スピーカーであり、イヤホーンのコレクター部は、内部スピーカーに取り付けられる。イヤホーンのコレクター部は、以下の取り付け手段、機械的要素、磁気的要素、接着材及び真空の内の少なくとも１つによって内部スピーカーに取り付けることができる。
【００２２】
本発明の更に他の実施例において、音響エネルギー出力部は、使用者の耳道に挿入するか又は外耳の近傍に取り付ける形状にされる。
【００２３】
更に、好ましい実施例において、音響チューブは、使用者の両耳に音波を同時に出力する２個の音響エネルギー出力部を有する二股の音響チューブである。
【００２４】
本発明の更に他の実施例において、イヤホーンは、イヤホーンのコレクター部に取り付ける付加的スピーカーを含む。
【００２５】
本発明の更に他の実施例において、上記イヤホーンはマイクロフォンを更に含み、このマイクロフォンは使用者からの音響信号を受け取り、それらを電気信号に変換し、携帯通信装置に出力する。マイクロフォンから装置への電気信号の搬送は、電気信号伝導体及び音声プラグを介する。
【００２６】
更に、本発明の好適な実施例において、マイクロフォン及び音響エネルギー変換器は、ケーシング内の音響的に遮蔽された近傍に位置する。
【００２７】
更に、本発明の好適な実施例によれば、マイクロフォンと音響エネルギー変換器はケーシング内で音響的に遮蔽され分離されている。遮蔽手段は、ケーシング内に配置され、少なくとも１つの遮蔽層からなり、遮蔽層は音響バリア要素及び遮蔽ペーストから選ばれる。
【００２８】
更に本発明の他の好適な実施例において、マイクロフォンと音響エネルギー変換器は、別体のケーシング内にある。
【００２９】
更に、本発明の好適な実施例において、コレクター部は、携帯通信装置の内部に位置し、その装置の中にある内部スピーカーと連絡している。
【００３０】
更に、本発明によれば、携帯通信装置とともに用いるイヤホーン用のカプラが提供される。カプラは、１個以上のケーシングの内部に近接して位置し、互いに音響的に遮蔽されているマイクロフォンと音響エネルギー変換器とを含む。音響エネルギー変換器は、装置の電気出力をイヤホーンのコレクター部により収集される音響波に変換し、イヤホーンは、使用者の耳に音響波を出力する。
【００３１】
更に、本発明によれば、カプラ内の音響遮蔽は１個以上の音響バリア要素又は１層以上の音響遮蔽ペーストを含む。
【００３２】
カプラの代替例において、１個以上のケーシングは２個のケーシングからなり、１個のケーシングはマイクロフォンを含み、１個のケーシングは音響エネルギー変換器を含み、これらのケーシングは互いに音響遮蔽されている。
【００３３】
更に、本発明の好適な実施例によれば、カプラの音響エネルギー変換器が中空の要素に対して近接して位置する。この要素は、音響エネルギー変換器から発せられた音声波が収集され音響チューブに伝えられる音響収集空間を規定する。
【００３４】
更に、本発明の好適な実施例によれば、中空の要素は、一体的に形成されたカプラケーシングの一部である。
【００３５】
更に、本発明によれば、携帯通信装置からの伝送を、使用者に対する電磁放射線暴露を削減して使用者に出力する方法が提供される。この方法は、携帯通信装置によって電磁信号を音響波に変換するステップ、及び音響波を収集するステップを含む。続いて、音響波を搬送できる中空のチューブを通じて、収集した音響波を使用者の耳まで搬送する。
【００３６】
更に、本発明の実施例によれば、本方法の変換ステップは、携帯通信装置の内部で行われる。本発明の他の実施例において、変換ステップは、携帯通信装置の外部で行われる。
【００３７】
更に、本発明の好適な実施例によれば、本方法は、受け取った電磁信号を、携帯通信装置から電線上をカプラへ伝送するステップを更に含み、この変換ステップはカプラ内で行われる。
【００３８】
【好ましい実施例の詳細な説明】
本発明は、図面と共に、以下の詳細な説明により、より深い理解と評価が得られるであろう。
【００３９】
図１を参照すると、本発明の実施例によるイヤホーンの概略図である。イヤホーン１０は、一端で耳装着部１６とつながり他の一端で音響コレクターヘッド１２につながる可撓性音響チューブ１４を含む。音響コレクターヘッド１２は、例えば携帯電話等の、ＰＣＤのイヤーピース又はスピーカーの近くに位置し又は接続され、そこで、ＰＣＤ（携帯電話）によって伝送される音響信号を収集する。これらの信号は、可撓性音響チューブ１４を通じて耳装着部１６に音響的に伝送され、使用者の耳の中に伝送される。ここで、耳に直接音響波が供給されることに加え、イヤホーンは、電磁放射線を放出するＰＣＤのスピーカーから使用者の耳との距離を保つことに注意されたい。
【００４０】
図２Ａ及び２Ｂは、本発明の他の実施例を示す。図２Ａは、電線１８によってカプラ２２に接続された携帯電話２０を示す。電線１８は、音声プラグ３２によって携帯電話２０の音声ソケット（図示せず）に接続されている。カプラ２２には、マイクロフォン２６及びスピーカー２８があり、フィードバックを減らすために少なくとも１片の音響遮蔽によって隔てられている。カプラ２２が一番よく示されているので、以下、図３Ａを参照して説明する。カプラ２２のスピーカー２８とマイクロフォン２６は、これら二つの要素間の干渉とフィードバックを防ぐために、十分な遮蔽により間隔を取って隔てられている。中空の可撓性音響チューブ１４は、スピーカー２８によって発せられる音声波を耳装着部１６に伝送する。音響チューブ１４は、その中を伝送される音質を最適化する直径を有する。
【００４１】
図２Ｂは、本発明の他の実施例であり、図２Ａに示す実施例と極めて類似する。図２Ｂにおいて、カプラは、音響的に遮蔽された別個の区画を有する。１個はマイクロフォン２６用、別の１個はスピーカー２８用であり、両区画を接続する電線がついている。区画を隔てることにより、スピーカー２８とマイクロフォン２６間のフィードバックを更に削減する。図２Ａ、２Ｂの両実施例において、ＰＣＤ（携帯電話）によって出される入力電磁放射線は、使用者から離れてより安全な音響波に変換されている。
【００４２】
図３Ａを参照すると、図２Ａの実施例で用いられたカプラの拡大平面図が示されている。カプラ２２は、音響バリア要素３９Ａ、３９Ｂ及び音響遮蔽ペースト２７によって隔てられたマイクロフォン２６とスピーカー２８を収容する。スピーカー２８は、ニップル状の中空の隆起３１を有する概ね漏斗状の中空要素２９に音響波を伝送する。漏斗状要素２９は、音響収集空間４５を区画する。実施例によっては、要素２９は分離された要素である必要はない。すなわち、カプラケーシング４７の一体的に形成された一部であってもよい。要素２９は漏斗状であると記載したが、要素２９は、十分な動作音響収集空間４５を囲繞できれば、いかなる形状をもってもよいことは明白である。例えば、要素２９の形状は、中でも方形、円形、三角形、楕円形又は円錐形であってもよい。
【００４３】
音響チューブ１４は、開口部３１の中に嵌合し、音響波を耳装着部（図示せず）に伝送する。他の実施例では、音響チューブ１４は、開口部３１を覆って嵌合してもよい。更に他の実施例では、音響収集空間４５の中に収集された音は、カプラケーシング４７の開口部を通って出て行く。音響チューブ１４は、この開口部に直接挿入されて、開口中に固定される。かかる実施例では、漏斗状の開口部３１は、ケーシング４７の開口部として記載されるのにより適切である。
【００４４】
通信装置、特には携帯電話（図示せず）に導かれ挿入される電線３７、３５は位置４３でカプラ２２に入る。一組の電線３７はマイクロフォン２６に繋がり、第２の一組の電線３５は音響バリア要素３９Ａ及び３９Ｂの開口部４９を通ってスピーカー２８に導かれている。電線３５は、通信装置から電気信号を受け取り、スピーカー２８に出力し、そこで電気信号が音響信号に変換される。同様に、使用者からの音響信号は、マイクロフォン２６によって受け取られ、そこで電気信号に変換され、電線３７によってＰＣＤに出力される。
【００４５】
図面に示すカプラ２２は、卵型の形状を有しているが、容易に理解できるように、プラスチックカプラはいかなる形状であってもよい。カプラ容器に用いる材料は、通常、電磁的、音響的に不透過性である。
【００４６】
図３Ｂには、図３Ａに示して説明したカプラ２２と概略類似する配置が示されているが、マイクロフォン２６とスピーカー２８の位置の点で異なっており、それらは別体のケーシングに位置している。個々のケーシング、マイクロフォン及びスピーカーケーシング２２Ａ、２２Ｂは図３Ａに示すものと本質的には同じものだが、音響バリア要素３９Ａ、３９Ｂ及び音響遮蔽ペースト２７がない。
【００４７】
ケーシング２２Ａは、使用者から発せられた音響信号を収集し電気信号に変換するマイクロフォン２６を収容する。これらの信号は、電線３７によって携帯通信装置（図示せず）に搬送され、そこから更に伝送される。同様に、ケーシング２２Ｂは、ＰＣＤから電気信号を受け取るスピーカー２８を収容する。スピーカー２８は、これらの信号を音響波に変換し、つぎに音響収集空間４５の中で収集され、音響チューブ１４に渡され、そこを通って使用者の耳の中の耳装着部１６図２Ａ、２Ｂ）に渡される。
【００４８】
図３Ｂにおいて、イヤホーンの音響コレクター部は、中空の漏斗状要素として上に説明したが、ケーシングの部分から一体的に形成され、音響収集空間４５を囲繞する。更に、音響チューブ１４は、上記の様に中空の漏斗状要素のニップルを越えてではなく、ケーシングの開口部に直接挿入されているのが見られる。
【００４９】
図４は、本発明の他の実施例を示す。電線１８は、装置２０、特には、携帯電話の音声ソケット（図示せず）に音声プラグ３２で接続されている。電線１８の第２の端部には、外部スピーカー３０がある。更に、図１に示すものときわめて類似する装置がある。その装置は、一端に耳装着部１６が取り付けられ、他端には音響コレクターヘッド１２が取り付けられる可撓性チューブ１４を含む。コレクターヘッド１２及び外部スピーカー３０は、例えば、磁石、接着材、真空、又は、ストラップ、留め金、クランプ又はベルクロ（登録商標）パッチ等の機械的手段など、多数の取り付け方法のいずれでも接合できる。同様に、電磁放射線はスピーカー３０に伝送され音声波に変換される。音声波は音響コレクターヘッド１２によって収集され、音響チューブ１４を介して耳装着部１６に伝送される。
【００５０】
図５は、本発明の２つの他の実施例を示す。上の実施例５１０において、耳装着部１６と音響コレクターヘッド１２が取り付けられる音響チューブ１４は、コレクターヘッド１２を介して携帯通信装置の内部スピーカー１３に接続されている。下の実施例５１０’において、音響コレクターヘッド１２’と耳装着部１６’を有する音響チューブ１４’は、コレクターヘッド１２’によって携帯通信装置２０の外部スピーカー１５に取り付けられる。当業者には自明のことであろうが、図５に示す両実施例における接続は、クランプ、ベルクロ（登録商標）パッチ又はストラップ、磁石、接着材および真空手段等の機械的方法を含む数多くの方法のいずれによっても行うことができるが、これらに限られない。同様に、図５の実施例を代替例として論じてきたが、これらは単一のＰＣＤ上で同時に使用することができる。
【００５１】
図６は、更に本実施例の他の実施例を示す。耳装着部１６と音響コレクターヘッド１２を有する音響チューブ１４は、携帯通信装置２０、特には携帯電話の内部スピーカー３８に接続される。図５の接続とは異なり、図６に示す音響コレクターヘッド１２と内部スピーカー３８との接続は装置２０の内部で行われる。内部スピーカー３８は、クランプ、止め具、ベルクロ（登録商標）パッチ又はストラップ、磁石、接着材および真空手段等の機械的方法を含む数多くの方法のいずれによってもコレクターヘッド１２に接合できる。
【００５２】
全ての図面で１個の耳装着部もつ実施例を示してきたが、当業者には明らかなように、音響チューブ１４は、ウォークマン（登録商標）やその他の同様な携帯装置と共に用いられる二股のイヤホーンと極めて類似する、２個の耳装着部をもつ二股の音響チューブとして構成することができる。しかし、ウォークマン（登録商標）と共に用いられる二股のイヤホーンは電気信号を搬送するのに対して、本発明による二股のイヤホーンは、音響信号を搬送することに注目されたい。
【００５３】
上述した耳装着部は、どのような方法でも形成できるが、以下に示すものが最も標準的である。耳装着部は、音響チューブから音響波を収集する錐体状の音響収集要素を持つことができる。この要素は、耳に直接はめ込み、かつ耳に直接音響波を出力する錐体状のケースに収容することができる。あるいは、耳装着部は、従来の電気ヘッドホンとして構成することもできる。
【００５４】
中空の音響チューブは、殆どいかなる可撓性チューブ、標準的には、プラスチックチューブによって作ることができる。第１に考慮すべき点は、中空のチューブの直径が、歪みや干渉を起こさずに音の収集を行えることと同時に、利用にあたって便利なことである。標準的には、約２から５ｍｍ、好ましくは約３から４ｍｍの内径を持つチューブが必要となるであろう。
【００５５】
上記のすべての実施例では、音声波は耳に伝送される。音声波はＰＣＤ内のスピーカー、又は、ＰＣＤの外にあって独立したスピーカーによって生成することができる。音声波の生成には、ＰＣＤで受け取った電磁放射線の音声波への変換が必要である。本発明で検討したすべての場合において、この変換は使用者の耳から離れたところで行われる。生成された音声波は、音響収集装置によって収集され、中空の音響チューブを介して耳の近傍又は中に置かれた耳装着部に伝送される。
【００５６】
当業者は、本発明は上記に詳しく示し説明したものに限定されないことを理解するであろう。そうではなく、本発明の範囲は請求項により規定される。
【図面の簡単な説明】
【図１】本発明の１実施例による携帯電話用イヤホーンの正面及び側面概略図。
【図２Ａ】本発明の好ましい実施例の携帯電話用イヤホーンの概略図。
【図２Ｂ】図２Ａに示す本発明の好ましい実施例の変形例による携帯電話用イヤホーンの概略図。
【図３Ａ】図２Ａに示す実施例に使われるカプラの拡大概略図。
【図３Ｂ】図２Ｂに示す実施例に使われるマイクロフォン及びスピーカーの構成部品の拡大概略図。
【図４】本発明の他の実施例による携帯電話用イヤホーンの概略図。
【図５】本発明の更に他の実施例による携帯電話用イヤホーンの概略図。
【図６】本発明の他の実施例による携帯電話用イヤホーンの概略図。
上記図面において、同じ要素には、同じ符号が付与されている。
【符号の説明】
１０：イヤホーン
１２及び１２’：音響コレクターヘッド
１４及び１４’：フレッキシブル音響チューブ
１６及び１６’：耳装着部
１８：電線
２０：携帯電話
２２：カプラ
２２Ａ及び２２Ｂ：スピーカーケーシング
２６：マイクロフォン
２７：音声遮蔽ペースト
２８：スピーカー
２９：中空要素
３０：外部スピーカー
３１：ニップル状の中空の隆起
３２：音声プラグ
３５及び３７：電線
３８：内部スピーカー
３９Ａ及び３９Ｂ：音響バリア要素
４５：音響収集空間
４７：カプラケーシング
５１０及び５１０’：実施例
【国際公開パンフレット】
2004506387.tif 000003
2004506387.tif 000004
2004506387.tif 000005
2004506387.tif 000006
2004506387.tif 000007
2004506387.tif 000008
2004506387.tif 000009
2004506387.tif 000010
2004506387.tif 000011
2004506387.tif 000012
2004506387.tif 000013
2004506387.tif 000014
2004506387.tif 000015
2004506387.tif 000016
2004506387.tif 000017
2004506387.tif 000018
2004506387.tif 000019
2004506387.tif 000020
2004506387.tif 000021
2004506387.tif 000022
2004506387.tif 000023
2004506387.tif 000024
2004506387.tif 000025
2004506387.tif 000026
2004506387.tif 000027
【国際公開パンフレット（コレクトバージョン）】
2004506387.tif 000028
2004506387.tif 000029
【国際調査報告】
2004506387.tif 000030